(57)【要約】【課題】見開きの紙が大きく開き視認性に優れるとともに、紙を斜めに引っ張っても脱落し難く、しかものどに隙間がほとんど生じないアルバム及びその製造方法を提供する。【解決手段】矩形状の紙３０に画像を印刷する印刷工程１００と、印刷された紙３０を複数重ねて、天側突出部３１と地側突出部３２をそれぞれ残すように、背側縁部３０ａの中央部３０ｄをコ字状に切断して矩形状の部分３３を除去する切断工程２００と、コ字状に切断された背側縁部３０ａの中央部３０ｅを糊付けして複数の紙３０を綴じる糊付け工程３００と、糊付けされた複数の紙３０の天側突出部３１及び地側突出部３２を平綴じする平綴じ工程４００と、背側縁部３０ａの中央部３０ｅに寒冷紗３５とタック紙３６を貼着する補強工程５００と、補強工程５００を施した複数の紙３０に表紙３７を付ける表紙付け工程６００を備える。【選択図】図１
2013086435.tif 000002
【特許請求の範囲】
【請求項１】
写真等の画像が印刷された紙を複数重ねて綴じてなるアルバムの製造方法において、
矩形状の紙の少なくとも片面に画像を印刷する印刷工程と、
前記印刷された紙を複数重ねて、背側縁部のうち天側端部には天側突出部を、地側端部には地側突出部をそれぞれ残すように、前記背側縁部の中央部をコ字状に切断して矩形状の部分を除去する切断工程と、
前記コ字状に切断された背側縁部の中央部を糊付けして前記複数の紙を綴じる糊付け工程と、
前記糊付けされた複数の紙の前記天側突出部及び前記地側突出部を締結部材を介して平綴じする平綴じ工程と、
前記背側縁部の中央部に寒冷紗又は不織布を前記平綴じした複数の紙における表側から裏側まで回り込ませるように貼着し、さらにタック紙を埋め込む補強工程と、
前記補強工程を施した複数の紙に表紙を付ける表紙付け工程を備えることを特徴とするアルバムの製造方法。
【請求項２】
前記天側突出部及び前記地側突出部の前記背側縁部の中央部からの突出量よりも、前記タック紙の厚みを小さくしたことを特徴とする請求項１に記載のアルバムの製造方法。
【請求項３】
前記タック紙は、厚さ調整可能に複数枚重ねられたものであることを特徴とする請求項１又は２に記載のアルバムの製造方法。
【請求項４】
前記印刷工程と前記切断工程の間に、前記画像が印刷された紙の表面にニス塗りを行う表面加工工程を備えることを特徴とする請求項１乃至３のうちいずれか一つに記載のアルバムの製造方法。
【請求項５】
写真等の画像が印刷された紙を複数重ねて綴じてなるアルバムにおいて、
前記紙は複数重ねられ、背側縁部のうち天側端部には天側突出部を、地側端部には地側突出部をそれぞれ残すように、前記背側縁部の中央部がコ字状に切断されるとともに、
前記コ字状に切断された背側縁部の中央部が糊付けされ、かつ前記天側突出部及び前記地側突出部が平綴じされ、
しかも前記背側縁部の中央部に寒冷紗又は不織布が前記平綴じした複数の紙における表側から裏側まで回り込むように貼着され、さらにタック紙が埋め込まれるとともに表紙が付けられてなることを特徴とするアルバム。
【発明の詳細な説明】
【技術分野】
【０００１】
本発明は、写真等の画像が印刷された紙を複数重ねて綴じてなるアルバム及びその製造方法に関するものである。
【背景技術】
【０００２】
近年のデジタルカメラの普及により、写真が一般ユーザーにとって一段と身近なものとなり、それに伴って一般ユーザーが自分で撮影した写真をレイアウトしてアルバムとして製本する機会も増えている。
このようなアルバムには、印刷された写真を透明なポケットに挿入して写真を配置する簡易なタイプや、卒業アルバムや結婚式のアルバムのように、アルバムの一ページを構成する大きさの紙に写真等の画像を直接印刷する高級なタイプがある。
【０００３】
大きな紙に直接画像が印刷されるタイプのアルバムでは、見開きの紙をまたぐように画像が配置されることがあり、その場合には見開きで一つの途切れていない画像となるようにアルバムののどまで余白なく印刷される。よって、アルバムののどまでよく見えるように見開きの紙が大きく開くことが重要である。
そこで、このようなアルバムは見開きの紙が大きく開くように、天糊製本によって製造されることがある。なお、天糊製本はアルバムの他に、複写伝票やメモ帳等に使用されている（例えば、特許文献１参照）。
【先行技術文献】
【特許文献】
【０００４】
【特許文献１】実開昭６１−１１２９７２号公報
【０００５】
このような天糊製本によって製造されるアルバムは、写真等の画像が印刷された紙を複数枚重ねて、その背に糊付けし、さらに表紙を付けてなる。
このアルバムに使用される接着剤は、用紙を剥ぎ取ることが前提である複写伝票やメモ帳に使用される接着剤に比べて、粘着力が強いものが用いられる。
【０００６】
このようなアルバムによると、図９に示すように、背に糊付けすることのみで複数の紙１０を綴じているので、他の製本方法に比べて紙１０を綴じた部分（糊付け部分）に柔軟性があり、見開きの紙１０が大きく開く。よって、余白なく印刷されたアルバム１ののどＧまでよく見え、視認性に優れる。
しかも、粘着力の強い接着剤が用いられているので、図９の矢印で示すように紙１０を引っ張っても、アルバム１から紙１０が脱落し難い。
【０００７】
しかし、このアルバム１は図９に示すような真っ直ぐ引く力には強いが、図１０に示すように斜めに引く方向に力が加わると、粘着力の強い接着剤が用いられていても比較的容易に紙１０が脱落してしまうという問題がある。
【０００８】
ここで、その問題点を改善したアルバムについて、本出願人は既に特許出願を行っている（特願２０１０−０８６５６５）。
【０００９】
このアルバム２を製造するにはまず、図１１に示すように、画像が印刷された紙２０の背側縁部２０ａに、背Ｂに平行に延びる長孔Ｎを形成する。このとき、天側端部２０ｂには天側保護部２１を、地側端部２０ｃには地側保護部２２をそれぞれ残すようにしている。
次に、長孔Ｎが形成された紙２０の表裏全面にフィルム２３を貼着し、紙２０の表面を保護するとともに長孔Ｎを塞ぐ。
そして、同様の処理がなされた紙２０を複数重ねて綴じ、表紙を付けて、アルバム２が完成する。
【００１０】
このアルバム２によれば、図１２に示すように、長孔Ｎにおいては、紙２０が存在しないので、この部分において容易に紙２０を折り曲げることができる。よって、見開きの紙２０が大きく自然な開きとなるので、視認性に優れる。
しかも、天側保護部２１及び地側保護部２２では、表側のフィルム２３、紙２０、裏側のフィルム２３の三層構造となるので、この折り曲げる長孔部分Ｎの強度を保つことができる。したがって、図１３に示すように、紙２０を斜めに引く方向に力が加わっても天側保護部２１及び地側保護部２２が破れ難いので、アルバム２から紙２０が脱落し難い。
【発明の概要】
【発明が解決しようとする課題】
【００１１】
しかしながら、このアルバム２では、天側保護部２１及び地側保護部２２において紙２０を折り曲げるので、図１３に示すように、アルバム２を開いたときに長孔Ｎの一部がのどＧの隙間として見えてしまい、見栄えが悪いといった問題点が生じてしまう。
【００１２】
そこで、本発明の目的とするところは、見開きの紙が大きく開き視認性に優れるとともに、紙を斜めに引っ張っても脱落し難く、しかものどに隙間がほとんど生じないアルバム及びその製造方法を提供することにある。
【課題を解決するための手段】
【００１３】
上記の目的を達成するために、本発明の請求項１に記載のアルバム（３）の製造方法は、写真等の画像が印刷された紙（３０）を複数重ねて綴じてなるアルバム（３）の製造方法において、矩形状の紙（３０）の少なくとも片面に画像を印刷する印刷工程（１００）と、前記印刷された紙（３０）を複数重ねて、背側縁部（３０ａ）のうち天側端部（３０ｂ）には天側突出部（３１）を、地側端部（３０ｃ）には地側突出部（３２）をそれぞれ残すように、前記背側縁部（３０ａ）の中央部（３０ｄ）をコ字状に切断して矩形状の部分（３３）を除去する切断工程（２００）と、前記コ字状に切断された背側縁部（３０ａ）の中央部（３０ｅ）を糊付けして前記複数の紙（３０）を綴じる糊付け工程（３００）と、前記糊付けされた複数の紙（３０）の前記天側突出部（３１）及び前記地側突出部（３２）を締結部材（３４）を介して平綴じする平綴じ工程（４００）と、前記背側縁部（３０ａ）の中央部（３０ｅ）に寒冷紗（３５）又は不織布を前記平綴じした複数の紙（３０）における表側から裏側まで回り込ませるように貼着し、さらにタック紙（３６）を埋め込む補強工程（５００）と、前記補強工程（５００）を施した複数の紙（３０）に表紙（３７）を付ける表紙付け工程（６００）を備えることを特徴とする。
【００１４】
また、請求項２に記載のアルバム（３）の製造方法は、前記天側突出部（３１）及び前記地側突出部（３２）の前記背側縁部（３０ａ）の中央部（３０ｅ）からの突出量よりも、前記タック紙（３６）の厚みを小さくしたことを特徴とする。
【００１５】
また、請求項３に記載のアルバム（３）の製造方法は、前記タック紙（３６）は、厚さ調整可能に複数枚重ねられたものであることを特徴とする。
【００１６】
また、請求項４に記載のアルバム（３）の製造方法は、前記印刷工程（１００）と前記切断工程（２００）の間に、前記画像が印刷された紙（３０）の表面にニス塗りを行う表面加工工程を備えることを特徴とする。
【００１７】
また、請求項５に記載のアルバム（３）は、写真等の画像が印刷された紙（３０）を複数重ねて綴じてなるアルバム（３）において、前記紙（３０）は複数重ねられ、背側縁部（３０ａ）のうち天側端部（３０ｂ）には天側突出部（３１）を、地側端部（３０ｃ）には地側突出部（３２）をそれぞれ残すように、前記背側縁部（３０ａ）の中央部（３０ｄ）がコ字状に切断されるとともに、前記コ字状に切断された背側縁部（３０ａ）の中央部（３０ｅ）が糊付けされ、かつ前記天側突出部（３１）及び前記地側突出部（３２）が平綴じされ、しかも前記背側縁部（３０ａ）の中央部（３０ｅ）に寒冷紗（３５）又は不織布が前記平綴じした複数の紙（３０）における表側から裏側まで回り込むように貼着され、さらにタック紙（３６）が埋め込まれるとともに表紙（３７）が付けられてなることを特徴とする。
【００１８】
ここで、上記括弧内の記号は、図面および後述する発明を実施するための形態に掲載された対応要素または対応事項を示す。
【発明の効果】
【００１９】
本発明の請求項１に記載のアルバムの製造方法によれば、背側縁部の中央部を糊付けして複数の紙を綴じるので、アルバムとしたときに背側縁部の中央部がのどとなるとともに、紙の綴じた部分（背側縁部の中央部）には柔軟性があり、見開きの紙が大きく開く。よって、アルバムを開いたときにのどまでよく見え、視認性に優れる。
また、紙を複数重ねて切断したので、切断した紙の背側縁部の中央部同士は揃う。この揃った背側縁部の中央部に糊付けし、その揃った糊付け箇所においてアルバムが開くので、のどに隙間がほとんど生じない。
【００２０】
しかも、背側縁部のうち天側端部には天側突出部を、地側端部には地側突出部をそれぞれ残すように、前記背側縁部の中央部をコ字状に切断して、その天側突出部及び地側突出部を締結部材を介して平綴じするので、紙を斜めに引っ張っても紙が脱落し難い。
ここで、通常平綴じされる箇所には画像が印刷されないことと同様に、本発明の天側突出部及び地側突出部にも画像は印刷されない。このように、非印刷面に平綴じという加工を施して引っ張りに対して強くしており、紙の印刷面には引っ張り強度を上げるために何ら加工を施さなくてよいので、紙の印刷面における光沢出し等の表面加工が制限されない。
【００２１】
また、請求項２に記載のアルバムの製造方法によれば、請求項１に記載の発明の作用効果に加え、天側突出部及び地側突出部の背側縁部の中央部からの突出量よりも、タック紙の厚みを小さくしたので、タック紙によって紙の綴じた部分を補強しつつ綴じた部分の柔軟性を保つことができ、視認性に優れる。
【００２２】
また、請求項３に記載のアルバムの製造方法によれば、請求項１又は２に記載の発明の作用効果に加え、タック紙は、厚さ調整可能に複数枚重ねられたものであるので、紙の綴じ強度と視認性のバランス調整が容易である。
【００２３】
また、請求項４に記載のアルバムの製造方法によれば、請求項１乃至３に記載の発明の作用効果に加え、画像が印刷された紙の表面にニス塗りを行うので、紙の表面に光沢が出るとともに、紙の表面を保護することができる。
【００２４】
また、本発明の請求項５に記載のアルバムによれば、背側縁部の中央部を糊付けして複数の紙が綴じられているので、アルバムとしたときに背側縁部の中央部がのどとなるとともに、紙の綴じた部分（背側縁部の中央部）には柔軟性があり、見開きの紙が大きく開く。よって、アルバムを開いたときにのどまでよく見え、視認性に優れる。
また、紙を複数重ねて切断されるので、切断した紙の背側縁部の中央部同士は揃う。この揃った背側縁部の中央部に糊付けし、その糊付け箇所においてアルバムが開くので、のどに隙間がほとんど生じない。
しかも、背側縁部のうち天側端部には天側突出部を、地側端部には地側突出部をそれぞれ残すように、前記背側縁部の中央部がコ字状に切断され、その天側突出部及び地側突出部が平綴じされているので、紙を斜めに引っ張っても紙が脱落し難い。
【００２５】
なお、本発明のアルバム及びその製造方法のように、背側縁部の中央部を糊付けするとともに、天側突出部及び地側突出部を平綴じする点は、上述した特許文献１には全く記載されていない。
【図面の簡単な説明】
【００２６】
【図１】本発明の実施形態に係るアルバムの製造方法における製造工程を示す図である。
【図２】図１に示す製造工程のうち、印刷工程を示す平面図である。
【図３】図１に示す製造工程のうち、切断工程を示す斜視図である。
【図４】図１に示す製造工程のうち、糊付け工程を示す斜視図である。
【図５】図１に示す製造工程のうち、平綴じ工程を示す斜視図である。
【図６】図１に示す製造工程のうち、補強工程を示す斜視図である。
【図７】図１に示す製造工程のうち、表紙付け工程を示す拡大側面図である。
【図８】本発明の実施形態に係るアルバムを示す斜視図である。
【図９】従来例に係るアルバムを示す斜視図である。
【図１０】図９に示すアルバムにおける紙を斜めに引っ張った状態を示す斜視図である。
【図１１】他の従来例に係るアルバムにおける紙を示す平面図である。
【図１２】図１１に示す紙のＡ−Ａ線拡大断面図である。
【図１３】他の従来例に係るアルバムを示す斜視図である。
【発明を実施するための形態】
【００２７】
図１乃至図８を参照して、本発明の実施形態に係るアルバム３及びその製造方法を説明する。
このアルバム３は写真等の画像が印刷された紙３０を複数重ねて綴じてなるものであり、具体的には、結婚記念アルバムのようにオンデマンド方式による少部数の個人的なアルバム３である。
その製造方法は図１に示すように、印刷工程１００と、切断工程２００と、糊付け工程３００と、平綴じ工程４００と、補強工程５００と、表紙付け工程６００を備える。
【００２８】
まず、印刷工程１００において、図２に示すように、印刷と印刷状態の長期保存に適した矩形状の紙３０を複数用意する。この紙３０は表裏とも（どちらか一方だけでもよい）印刷可能なものである。紙３０には芯材の表裏両面に印刷可能な表面材がそれぞれ貼着されてなるものも含み、その他特に材質は限定されない。
そして、事前にパソコン上でレイアウトされた写真や文字を、紙３０の表裏両面に印刷する。一枚の紙３０に一つ又は複数の写真が配置される場合や、アルバム３としたときの見開きの紙３０をまたぐように一つの写真が配置される場合もある。
なお、後の切断工程２００で除去される部分３３や、平綴じ工程４００で綴じられる天側突出部３１及び地側突出部３２となる部分には基本的には印刷しない。但し、アルバム３としたときに印刷されていない白い箇所が見えないように、それら非印刷面３１，３２，３３に若干はみ出るように印刷される。
【００２９】
次に、切断工程２００において、印刷された紙３０を複数（アルバム３一冊分）重ねて、図３に示すように背側縁部３０ａのうち天側端部３０ｂには天側突出部３１を、地側端部３０ｃには地側突出部３２をそれぞれ残すように、背側縁部３０ａの中央部３０ｄをコ字状に切断して矩形状の部分３３を除去する。
ここで、コ字状に切断された背側縁部３０ａの中央部３０ｅ（切断前の背Ｂと平行な部分）から突出した天側突出部３１及び地側突出部３２の背方向突出量は８ｍｍであり、天側突出部３１及び地側突出部３２の天地方向の幅は５ｍｍである。なお、ここで背方向とは、小口Ｅから背Ｂに向かう方向をいう。この天側突出部３１及び地側突出部３２の天地方向の幅は、後の平綴じ工程４００において、平綴じ可能な長さが確保されていればよい。
また、天側突出部３１及び地側突出部３２の付け根は円弧状となっている（Ｒが付けられている）。
【００３０】
次に、糊付け工程３００において、図４の点々で示すようにコ字状に切断された背側縁部３０ａの中央部３０ｅ、天側突出部３１の背側３１ａと地側３１ｂ、及び地側突出部３２の背側３２ａと天側３２ｂを製本用接着剤で糊付けして複数の紙３０を綴じる。
【００３１】
次に、平綴じ工程４００において、図５に示すように、糊付けされた複数の紙３０の天側突出部３１及び地側突出部３２を締結部材３４（針金）を介して平綴じする。このように針金を介した平綴じとは、すなわちステープラを用いて綴じるということである。この締結部材３４は、糸や樹脂繊維等、平綴じに用いることができる素材のものであれば、いずれでもよい。
【００３２】
次に、補強工程５００において、図６に示すように、まず背側縁部３０ａの中央部３０ｅに寒冷紗３５を平綴じした複数の紙３０における表側から裏側まで回り込ませるように貼着する。
そして、コ字状に切断された背側縁部３０ａの中央部３０ｅに、二枚のタック紙３６を重ねて埋め込むように貼着する。ここで、天側突出部３１及び地側突出部３２の背側縁部３０ａの中央部３０ｅからの突出量よりも、タック紙３６の厚みを小さくした。
タック紙３６は寒冷紗３５とは異なり、複数の紙３０の表側や裏側には回り込ませない。
また、タック紙３６の天地方向の長さは寒冷紗３５の天地方向の長さよりも長い。また、タック紙３６を二枚重ねた厚みは、天側突出部３１及び地側突出部３２の突出量の略半分である。
【００３３】
最後に表紙付け工程６００において、図７に示すように、補強工程５００を施した複数の紙３０に表紙３７を付ける。そして、表表紙３７と裏表紙３７に表紙３７の折り目となる凹溝３８を形成する。この凹溝３８の背側端部３８ａの位置は、紙３０のコ字状に切断された背側縁部３０ａの中央部３０ｅの位置と平面視において略一致する。
【００３４】
以上のように構成及び製造されたアルバム３によれば、背側縁部３０ａの中央部３０ｅを糊付けして複数の紙３０を綴じるので、図８に示すように、アルバム３としたときに背側縁部３０ａの中央部３０ｅがのどＧとなるとともに、紙３０の綴じた部分（背側縁部３０ａの中央部３０ｅ）には柔軟性があり、見開きの紙３０が大きく開く。よって、アルバム３を開いたときにのどＧまでよく見え、視認性に優れる。
また、紙３０を複数重ねて切断したので、切断した紙３０の背側縁部３０ａの中央部３０ｅ同士は揃う。この揃った背側縁部３０ａの中央部３０ｅに糊付けし、その糊付け箇所においてアルバム３が開くので、のどＧに隙間がほとんど生じない。
【００３５】
しかも、背側縁部３０ａのうち天側端部３０ｂには天側突出部３１を、地側端部３０ｃには地側突出部３２をそれぞれ残すように、前記背側縁部３０ａの中央部３０ｄをコ字状に切断して、その天側突出部３１及び地側突出部３２を締結部材３４を介して平綴じするので、図８に示すように、紙３０を斜めに引っ張っても紙３０が脱落し難い。
また、天側突出部３１及び地側突出部３２を平綴じしており、紙３０の印刷面には引っ張り強度を上げるために何ら加工を施さなくてよいので、紙３０の印刷面における光沢出し等の表面加工が制限されない。すなわち、紙３０の印刷面には光沢出しのための表面加工としてニス塗りを選択可能であるし、またラミネート加工も選択可能である。
【００３６】
また、天側突出部３１及び地側突出部３２の背側縁部３０ａの中央部３０ｅからの突出量よりも、タック紙３６の厚みを小さくしたので、タック紙３６によって紙３０の綴じた部分３０ｅを補強しつつ綴じた部分３０ｅの柔軟性を保つことができ、視認性に優れる。
【００３７】
なお、本実施形態において、タック紙３６を二枚重ねたが、厚さを調整するために枚数を増減できる。また、枚数ではなく一枚の厚さを変更して調整してもよい。これにより、紙３０の綴じ強度と視認性のバランス調整が容易である。もちろん、タック紙３６の厚さが厚くなればなるほど、紙３０の綴じ強度が上がるとともに、見開きの紙３０の開きが悪くなって視認性が低下する。
したがって、本実施形態においてはタック紙３６の厚さを天側突出部３１及び地側突出部３２の背側縁部３０ａの中央部３０ｅからの突出量の略半分としたが、強度と視認性のバランスを調整したときに、タック紙３６の種類によっては、これよりも厚くなることも薄くなることもある。
【００３８】
また、印刷工程１００と切断工程２００の間に、画像が印刷された紙３０の表面にニス塗りを行う表面加工工程を備えてもよい。この表面加工工程は、ニス塗りに代えてラミネート加工としてもよい。
この表面加工工程により、紙３０の表面に光沢が出るとともに、紙３０の表面を保護することができる。
【００３９】
また、コ字状に切断された背側縁部３０ａの中央部３０ｅ、天側突出部３１の背側３１ａと地側３１ｂ、及び地側突出部３２の背側３２ａと天側３２ｂを糊付けしたが、これに限られるものではなく、少なくとも、コ字状に切断された背側縁部３０ａの中央部３０ｅに糊付けすればよい。
【００４０】
また、補強工程５００において寒冷紗３５の代わりに不織布を用いてもよい。
【００４１】
さらには、平綴じ工程４００と糊付け工程３００の順序を逆にしてもよい。すなわち切断工程２００の後に、複数の紙３０の天側突出部３１及び地側突出部３２を平綴じし、その後に複数の紙３０のコ字状に切断された背側縁部３０ａの中央部３０ｅ等を糊付けしてもよい。
【００４２】
また、通常の製本において使用される化粧用カバー、花布、栞等を適宜組み込んでもよい。
また、天側突出部３１及び地側突出部３２の寸法は、本実施形態のものには限られない。
【符号の説明】
【００４３】
１      アルバム
２      アルバム
３      アルバム
１０      紙
２０      紙
２０ａ    背側縁部
２０ｂ    天側端部
２０ｃ    地側端部
２１      天側保護部
２２      地側保護部
３０      紙
３０ａ    背側縁部
３０ｂ    天側端部
３０ｃ    地側端部
３０ｄ    中央部
３０ｅ    コ字状に切断された背側縁部の中央部（切断面）
３１      天側突出部
３１ａ    背側
３１ｂ    地側
３２      地側突出部
３２ａ    背側
３２ｂ    天側
３３      矩形状の部分
３４      締結部材
３５      寒冷紗
３６      タック紙
３７      表紙
３８      凹溝
１００      印刷工程
２００      切断工程
３００      糊付け工程
４００      平綴じ工程
５００      補強工程
６００      表紙付け工程
Ｂ      背
Ｅ      小口
Ｇ      のど
Ｎ      長孔
【図７】
2013086435.tif 000003
【図１１】
2013086435.tif 000004
【図１２】
2013086435.tif 000005
【図１】
2013086435.tif 000006
【図２】
2013086435.tif 000007
【図３】
2013086435.tif 000008
【図４】
2013086435.tif 000009
【図５】
2013086435.tif 000010
【図６】
2013086435.tif 000011
【図８】
2013086435.tif 000012
【図９】
2013086435.tif 000013
【図１０】
2013086435.tif 000014
【図１３】
2013086435.tif 000015